(57)【要約】      （修正有）【課題】夏季の住宅内の熱環境形成において、床下などの建物内の低層にある冷気を有効活用できるとともに、上階の暑熱環境を容易に改善できる住宅を提供する。【解決手段】コンクリート基礎１１と、外装材１３と内装材１４との間に張り巡らした断熱材とによって、外気と区画された断熱気密住宅であって、該断熱気密住宅の内部には、内装材で囲まれた居住空間３と、該居住空間以外の部分からなる中空層４とを有しており、前記中空層の少なくとも土台１５高さ以上の部分は、外気が流通する通気構造とするとともに、該通気構造の下方にある中空層は、前記通気構造部分を流通する外気の流動に対し非通気構造とした。【選択図】  図１
2004176296.tif 000002
【特許請求の範囲】
【請求項１】
コンクリート基礎と、外装材と内装材との間に張り巡らした断熱材とによって外気と区画された断熱気密住宅であって、該断熱気密住宅の内部には、内装材で囲まれた居住空間と、該居住空間以外の部分からなる中空層とを有しており、前記中空層の少なくとも土台高さ以上の部分は、外気が流通する通気構造とするとともに、該通気構造の下方にある中空層は、前記通気構造部分を流通する外気の流動に対し非通気構造としたことを特徴とする冷気溜まりを形成した住宅。
【請求項２】
前記中空層の空気を屋外に排出する排気口と、前記中空層の中に外気を給気する給気口とを、前記外壁または屋根および断熱材を貫通して形成し、前記通気構造としたことを特徴とする請求項１に記載の冷気溜まりを形成した住宅。
【請求項３】
前記排気口を居住空間の天井高さ以上とし、前記給気口を少なくとも土台よりも上になるように形成したことを特徴とする請求項２に記載の冷気溜まりを形成した住宅。
【請求項４】
前記排気口よりも下部に前記給気口を配したことを特徴とする請求項２から請求項３のいずれかに記載の冷気溜まりを形成した住宅。
【請求項５】
屋外と前記居住空間とを連通する、開閉可能な室内排気口を、居住空間の上方に開口して形成したことを特徴とする請求項２から請求項４のいずれかに記載の冷気溜まりを形成した住宅。
【請求項６】
前記通気構造の下方にある中空層を外気の流動に対し選択的に非通気構造としたことを特徴とする請求項１に記載の冷気溜まりを形成した住宅。
【請求項７】
前記中空層の空気を屋外に排出する排気口と、前記中空層の中に外気を給気する給気口とを、前記外壁または屋根、および断熱材を貫通して形成し、前記通気構造とするとともに、前記コンクリート基礎に設けた床下換気口を開閉することで、該通気構造の下方にある中空層を、選択的に非通気構造としたことを特徴とする請求項６に記載の冷気溜まりを形成した住宅。
【請求項８】
前記排気口を居住空間の天井高さ以上とし、前記給気口を少なくとも土台よりも上になるように形成したことを特徴とする請求項７に記載の冷気溜まりを形成した住宅。
【請求項９】
前記排気口よりも下部に前記給気口を配したことを特徴とする請求項７から請求項８のいずれかに記載の冷気溜まりを形成した住宅。
【請求項１０】
前記コンクリート基礎には、中空層と外気とを連通する開閉自在の床下換気口を少なくとも１ヶ以上設け、かつ前記排気口よりも下部であって、土台よりも上部には、中空層と外気とを連通する開閉自在の給気口を少なくとも１ヶ以上配したことを特徴とする請求項６に記載の冷気溜まりを形成した住宅。
【請求項１１】
屋外と前記居住空間とを連通する、開閉可能な室内排気口を、居住空間の上方に開口して形成したことを特徴とする請求項７から請求項１０のいずれかに記載の冷気溜まりを形成した住宅。
【請求項１２】
コンクリート基礎と、外装材と内装材との間に張り巡らした断熱材とによって外気と区画された断熱気密住宅の防暑方法であって、該断熱気密住宅の内部には、内装材で囲まれた居住空間と、該居住空間以外の部分からなる中空層とを有しており、前記中空層の少なくとも土台高さ以上の部分は、外気が流通する通気構造とするとともに、該通気構造の下方にある中空層は、前記通気構造部分を流通する外気の流動に対し、選択的に非通気構造とし、外気温度が前記居住空間の温度よりも高いときには、外壁または屋根および断熱材を貫通して形成した排気口および給気口を開放して、少なくとも土台高さ以上の中空層の熱気を排気口から排出し、外気温度が前記居住空間の温度よりも低い時には、前記排気口および給気口に加えて、コンクリート基礎に設けた床下換気口を開放して、土台高さ以下の中空層の空気もあわせて、排気口から排出させることを特徴とした冷気溜まりを形成した住宅の防暑方法。
【請求項１３】
前記給気口が、前記排気口の下部であって、土台高さよりも上部に形成されていることを特徴とした請求項１２に記載の冷気溜まりを形成した住宅の防暑方法。
【発明の詳細な説明】
【０００１】
【発明の属する技術分野】
本発明は、建築物内部がもつ熱容量を活かし、冷気溜まりを形成するとともに、上階の暑熱環境を改善した住宅、および夏季の防暑方法に関する。
【０００２】
【従来の技術】
断熱気密化により室内の保温性を高めた住宅においては、夏季の特に夜間は、室内温度が外気温度に比べ高い状況が続く、熱ごもりの状態にあることが知られている。この問題を改善する建物として、外気を床下換気口から導入し、一旦床下の冷熱で冷却した後、断熱壁の内側に形成した壁内通気層を通じて建物の上部に冷熱を伝熱させて、小屋裏換気口から空気を排出するものが数多く知られている（例えば特許文献１参照）。
【０００３】
また上記に加え、小屋裏に設置した換気扇により、床下換気口からの導入外気量および壁内風量を増やし、冷熱の伝熱を促進させようとしたものも知られている（例えば特許文献２参照）。
【０００４】
また床下の冷熱は、べた基礎を通じた地中熱によるものが一般的であるが、より冷却効果を高める為に、床下に冷熱装置または蓄熱容量の大きな材料を配置し、発生した冷熱と、床下に直接導入される外気とを熱交換させたものも知られている（例えば特許文献１参照）。
【０００５】
さらには、床下換気口から直接外気を導入せず、まず居室内を通り、その後床下に導かれ、床下の冷気と混合させた後、壁内通気層を通じて小屋裏からファンで外部に排出させる居室換気と組合わせたものも知られている（例えば特許文献３参照）。
【０００６】
【特許文献１】特開平１０−４６６９４（第１図）
【０００７】
【特許文献２】実開平０６−４２０９（第１図）
【０００８】
【特許文献３】特開２００２―１６７８７３（第１図）
【０００９】
【発明が解決しようとする課題】
外気を床下に直接導入する方法では、外気温度が高い地域では、床下の地中温度が高くなり、外気の冷却効果が低下する問題がある。特に換気ファンにより大量の外気を導入する場合は顕著であり、微弱な地中熱のエネルギー的な利用価値を損なう問題がある。また地中熱によって外気を冷却できる温度には限界があるうえ、空気の熱容量は固体に比べ小さいため、日中などは床下で冷却された空気が建物上部の小屋裏に到達するまでに温度が上昇し、最上階の壁面の冷却効果や小屋裏を低温の空気で置換するまでには至らず、建物上階の暑さが改善しない状況が見られる。このように床下に外気を直接導入する方法では、床下冷熱を散逸させてしまい、快適室内環境の形成という点で、有効に活用できていないという問題がある。
【００１０】
また建物内外の温度差のみを通気の原動力としている場合は、冷房などにより室内温度が外気温度よりも低くなる時間があると、小屋裏換気口から外気が侵入し、小屋裏付近の高い空気が、低温の下階に流下するとともに、床下換気口からは床下冷気が外部に押出される場合もあり、意図した通気効果が得られないこともある。
【００１１】
また居住室の換気経路に、床下から小屋裏の通気層を組み込む方法では、通気層に導入される空気温度が冷房している居住室に対し有効であるか、ないかに関係なく常時通気する事となるばかりか、居室の必要換気量を確保するために、通気層の抵抗を加味した設計を行う煩雑さがある。
【００１２】
よって、本発明の目的は、夏季の建物内の熱環境形成において、床下などの建物内の低層にある冷気を有効活用できるとともに、上階の暑熱環境を容易に改善できる住宅を提供することである。
【００１３】
【課題を解決するための手段】
本発明は前記目的を達成するために、以下の構成を有する住宅および防暑方法である。具体的には、給気口から導入した外気により、中空層内の暖気を排気口から屋外に排出させる通気構造とし、このような排出空気の流動に対して、少なくとも土台より下の中空層の空気を上方に吸引させない非通気構造とすることで、冷気溜まりを形成するものである。このように建物下部側の中空層の空気流動を伴わないで、建物上部側の暑熱空気のみを屋外に排出することができ、かつ建物下部側の冷気を快適な温度のまま有効に活用できるようにした住宅である。
【００１４】
また、床下換気口等の開閉可能な通気口を設けて下方の中空層を選択的に非通気構造とすることにより、外気温度が冷気溜まり内の温度よりも低い時には、床下換気口を開放し、建物の下部の中空層から上部の中空層にわたって、積極的に外気を導入して、建物内を冷却できる住宅としている。これにより夏季の建物内の熱環境形成において、床下などの建物内の低層にある冷気を有効活用できるとともに、上階の暑熱環境の改善が容易に行うことが可能となる。
【００１５】
本願発明は以下の構成を有するものである。
【００１６】
コンクリート基礎と、外装材と内装材との間に張り巡らした断熱材とによって外気と区画された断熱気密住宅であって、該断熱気密住宅の内部には、内装材で囲まれた居住空間と、該居住空間以外の部分からなる中空層とを有しており、前記中空層の少なくとも土台高さ以上の部分は、外気が流通する通気構造とするとともに、該通気構造の下方にある中空層は、前記通気構造部分を流通する外気の流動に対し非通気構造としたことを特徴とする冷気溜まりを形成した住宅（請求項１）。
【００１７】
前記中空層の空気を屋外に排出する排気口と、前記中空層の中に外気を給気する給気口とを、前記外壁または屋根および断熱材を貫通して形成し、前記通気構造としたことを特徴とする請求項１に記載の冷気溜まりを形成した住宅（請求項２）。
【００１８】
前記排気口を居住空間の天井高さ以上とし、前記給気口を少なくとも土台よりも上になるように形成したことを特徴とする請求項２に記載の冷気溜まりを形成した住宅（請求項３）。
【００１９】
前記排気口よりも下部に前記給気口を配したことを特徴とする請求項２から請求項３のいずれかに記載の冷気溜まりを形成した住宅（請求項４）。
屋外と前記居住空間とを連通する、開閉可能な室内排気口を、居住空間の上方に開口して形成したことを特徴とする請求項２から請求項４のいずれかに記載の冷気溜まりを形成した住宅（請求項５）。
【００２０】
前記下方にある中空層が外気の流動に対し選択的に非通気構造としたことを特徴とする請求項２に記載の冷気溜まりを形成した住宅（請求項６）。
【００２１】
前記中空層の空気を屋外に排出する排気口と、前記中空層の中に外気を給気する給気口とを、前記外壁または屋根、および断熱材を貫通して形成し、前記通気構造とするとともに、前記コンクリート基礎に設けた床下換気口を開閉することで、該通気構造の下方にある中空層を、選択的に非通気構造としたことを特徴とする請求項６に記載の冷気溜まりを形成した住宅（請求項７）。
【００２２】
前記排気口を居住空間の天井高さ以上とし、前記給気口を少なくとも土台よりも上になるように形成したことを特徴とする請求項７に記載の冷気溜まりを形成した住宅（請求項８）。
【００２３】
前記排気口よりも下部に前記給気口を配したことを特徴とする請求項７から請求項８のいずれかに記載の冷気溜まりを形成した住宅（請求項９）。
【００２４】
前記コンクリート基礎には、中空層と外気とを連通する開閉自在の床下換気口を少なくとも１ヶ以上設け、かつ前記排気口よりも下部であって、土台よりも上部には、中空層と外気とを連通する開閉自在の給気口を少なくとも１ヶ以上配したことを特徴とする請求項６に記載の冷気溜まりを形成した住宅（請求項１０）。
【００２５】
屋外と前記居住空間とを連通する、開閉可能な室内排気口を、居住空間の上方に開口して形成したことを特徴とする請求項７から請求項１０のいずれかに記載の冷気溜まりを形成した住宅（請求項１１）。
【００２６】
コンクリート基礎と、外装材と内装材との間に張り巡らした断熱材とによって外気と区画された断熱気密住宅の防暑方法であって、該断熱気密住宅の内部には、内装材で囲まれた居住空間と、該居住空間以外の部分からなる中空層とを有しており、前記中空層の少なくとも土台高さ以上の部分は、外気が流通する通気構造とするとともに、該通気構造の下方にある中空層は、前記通気構造部分を流通する外気の流動に対し、選択的に非通気構造とし、外気温度が前記居住空間の温度よりも高いときには、外壁または屋根および断熱材を貫通して形成した排気口および給気口を開放して、少なくとも土台高さ以上の中空層の熱気を排気口から排出し、外気温度が前記居住空間の温度よりも低い時には、前記排気口および給気口に加えて、コンクリート基礎に設けた床下換気口を開放して、土台高さ以下の中空層の空気もあわせて、排気口から排出させることを特徴とした冷気溜まりを形成した住宅の防暑方法（請求項１２）。
【００２７】
前記給気口が、前記排気口の下部であって、土台高さよりも上部に形成されていることを特徴とした請求項１２に記載の冷気溜まりを形成した住宅の防暑方法（請求項１３）。
【００２８】
【発明の実施の形態】
【００２９】
【実施例】
次に本発明の冷気溜まりを形成した住宅について、以下、図面を参照しながら具体的に説明する。
【００３０】
図１は、本発明による住宅の断面を模式的に示す断面図である。なお本発明による住宅に特徴的である夏季の状態を示している。
【００３１】
図６は図１に土台より下に床下換気口８を設けた場合の夏期の状態を示している。
【００３２】
本発明を採用する住宅は、コンクリート基礎１１と、外装材１２、１３と内装材１４との間に張り巡らした断熱材１７、１８とによって外気と区画され、その内部には内装材１４で囲まれた居住空間３と、該居住空間以外の部分からなる中空層４とを有し、前記断熱材１７，１８および外装材１２を貫通して形成した排気口５、給気口６を有している。なお床下換気口を設けることも可能である。  その場合は、図６に示すように、前記コンクリート基礎１１を貫通して形成して床下換気口８を設けることが出来る。上記構成による住宅は、気密性能を有する住宅であって、隙間が少ない方が防暑効果が高く好ましい。居住空間３に設置した窓９および後述する排気口５、給気口６などの開口部を閉鎖した場合の建物の気密性能は、隙間相当面積（Ｃ値）が５ｃｍ２／ｍ２以下、望ましくは２ｃｍ２／ｍ２以下、さらには１ｃｍ２／ｍ２以下となるようにすることが好ましく、外壁、屋根、開口部回り等の隙間は、例えばポリエチレンシートや粘着テープなどの気密材で処理することが可能である。また断熱材の仕様は限定されるものではないが、例えばポリスチレン、ポリエチレン、イソシアヌレートなどの発泡樹脂系断熱材およびグラスウール、ロックウールなどの繊維系断熱材などが例示できる。
【００３３】
本発明において、基礎１１は、図１に示すように、べた基礎であってもよいし、図４に示すように土間コンクリート基礎であってもよい。このような基礎１１は、図１に示すように、基礎１１の屋外側に基礎断熱材１６を配置した外断熱構造であるのが望ましいが、図示しないが屋内側に基礎断熱材を配置しても良い。
【００３４】
また断熱材１７は、図１に示すように、土台１５、桁１９などの屋外側に張り巡らしても良いし、また図４に示すように、土台１５と桁１９との間であって、図示しない柱間に配置して良い。また断熱材１８は、図１に示すように桁１９、母屋２０などの小屋組材の屋外側に配置しても良いし、図示しないが小屋組間でもよく、また図４に示すように、桁１９上であっても良い。このように、本発明の住宅では、壁、屋根などの部位面の多くを断熱材で張り巡らして外気と熱的に区画していれば良い。
【００３５】
また図１に示すように、通常は断熱材１７、１８の外側に外側通気層２１、２２が形成されており、太陽熱によって外装材１２、１３が加熱されることによって、外側通気層２１，２２内の空気が温められ、屋外の空気がこの通気層の下部から侵入して、通気層の上部に上昇し、太陽熱を外部に排出し、建物内への伝熱を減少させている。なお図４に示すような場合は、外側通気層２２に加えて、小屋裏換気口３５と図示しない軒天換気口により、断熱材３３の上側の番号を付さない空間部を換気しても良い。
【００３６】
本発明による住宅では、図１に示すように、排気口５を居住空間３の天井高さ以上の外壁５１に設け、さらに排気口５の下部に、通常は土台１５よりも上部に給気口６を設置する。これらに加え床下換気口８を設けてもよく、その例を図６に示す。なおこれら排気口５および給気口６は、屋根に形成しても良く、また図４に示すように、桁部断熱材３３を介して屋根、壁に形成しても良い。
【００３７】
排気口５、給気口６および床下換気口８を設けた場合はそれぞれ開閉可能となっており、これら給気および排気口の閉鎖時の気密度を等級で表すとＡ−２（ＪＩＳ  Ａ４７０６−１９９６）、望ましくはＡ−４と同等レベルが好ましい。排気口５および給気口６は、夏季は通常開放しており、手動または電動で開閉操作可能となっている。また形状記憶合金などで温度を感知して開閉させても良い。
【００３８】
本発明による住宅では、図１に示すように、排気口５および給気口６を開放することにより、また、図６では床下換気口８を閉鎖することにより、建物上部の中空層４に外気を導入することができる。すなわち建物上部の中空層４の空気は、主に外装材１３、断熱材１８から伝熱する太陽熱により加熱されて、排気口５から排出されるのと同時に、建物上部の中空層４の内部は負圧となり、給気口６から外気が導入される。この時、中空層４には給気口６以外に外気が流入する開口を設けなければ、給気口６より下側にある中空層４の空気を上方に吸引せずに、熱気を屋外に排出させることが可能となる。すなわち外気温度よりも低い温度である地盤により、低温に保持されたコンクリート基礎１１の底面、および内装材１４を介した居住空間３の冷房装置などによって、図１の斜線で示す良好な冷気溜まり４１を形成しつつ、この冷気溜まり４１を乱すことなく建物の上部の暑熱環境を改善することが可能となる。
【００３９】
また本実施例では、図１に示すように、排気口５および給気口６は、居住空間３の天井高さ以上に設置されており、かつ排気口５が給気口６よりも高い位置に配置してあるので、排気口５と給気口６との通気は、温度差によって容易に可能である。さらに上方の排気口５への通気となるので、中空層４に流入する外気と、居住空間３の天井７との対流伝熱による影響を少なく抑えることも可能となる。またこのように居住空間３の天井７よりも上方を、排気口５および給気口６による通気構造としたので、居住空間３および中空層４の空気温度が冷房などにより、外気温度よりも低くなっても、中空層内に下降気流が生じず、上部の排気口５から熱気が流入する逆流現象を防止することが可能となる。
【００４０】
さらに居住空間３と中空層４とは、内装材で区画されているので、外気の居住空間３への導入が防止でき、逆に居住空間３の冷気を直接外部への漏れを防止できる。また内装材１４の継ぎ目などに隙間があったとしても、排気口５および給気口６が居住空間３の天井高さ以上であるため、内装材１４の隙間を通じて居住空間３の空気を大量に吸引することが防止できる。
【００４１】
なお排気口５は、開閉可能な開口として形成するだけでなく、電動ファンを併設して、計画的に屋外に熱気を排出することも可能である。また給気口６に電動ファンを併設し、中空層４の内部を加圧するようにして外気導入を行うことも可能である。もちろん排気口５および給気口６の両方に電動ファンを併設しても良い。さらに電動ファンは排気口５および給気口６と一体になっていてもよく、開閉にあわせて電動ファンが運転できる仕組みが好ましい。
【００４２】
なお床下換気口８を設けて開放させた場合には、給気口６に併設する給気ファンを設けている場合は停止し、排気口５に併設するファンのみの運転とするのが、通気効率の点で望ましい。
【００４３】
また、さらに排気口５は、図示しないが、屋根を突き抜けた煙突状に形成することで、暖気の排出をより有効に作用させることもできる。
【００４４】
また排気口５および給気口６は、建物上層の中空層４の温度が外気に比べて高くない時や、この中空層４に隣接する最上階の居住空間３の温度とほぼ同じ場合などは、開放しておいても良いが、一時的に閉鎖してもよい。
【００４５】
また本発明による住宅では、図２に示すように、給気口６を１階の居住空間３の天井高さに対し、少し上になるように設置しても良い。この場合、床下換気口８を設けた場合は閉鎖すると共に、排気口５および給気口６を開放し、給気口６より上方の中空層４に外気を導入して、排気口５から熱気とともに排出される通気構造となる。その下方は非通気構造となり、図中の斜線で示す１階天井までの冷気溜まり４１を形成することが可能となる。
【００４６】
さらに本発明による住宅では、図３に示すように、外壁５１に開閉可能な排気口５と排気口６をほぼ同じ高さに設置し、開放することで、中空層４の内部に外気を導入することも可能である。この場合の排気口５および排気口６も、図３に示すように、居住空間３の天井高さ以上に位置しており、この天井高さ付近より上方のみを通気し、下方には冷気溜まり４１が形成可能となっている。なお、排気口５および給気口６の設置数は適宜選択することが出来、各１ヶ以上としても良い。給気と排気でバランスするように、ほぼ同じ開口面積とする方が望ましい。
【００４７】
また本実施例においても、開閉可能な給気、排気口には、電動ファンを併設しても良く、いずれかの開口を給気または排気にすれば良い。さらに本実施例では排気口５と給気口６とを別々にして設置しているが、同時に給排気できるファンであれば同一物として設置しても良い。この場合は、冷気溜まり４１から距離を離した上方に設置したほうが望ましい。さらに、ファンを併設した場合は、排気口５の上部に給気口６を設置しても良い。
【００４８】
本発明による住宅では、上記のように、建物上部側の中空層４の空気が流動し、建物下部側の中空層４の空気は冷気溜まりとなって、空気が滞留することとなる。従って、これら中空層４は、図１に示すように、通常は隣接する中空層４と連通しているが、冷気溜まり４１となる非通気構造部分は非連通でもよく、少なくとも排気口５および給気口６によって、通気構造とする部分を連通とすればよい。なお隣接する中空層４を連通させる場合、内装材１４の全面に沿って連通した中空層であることが望ましいが、柱、胴縁などによって細かく区画された中空層の一部が連通している通気構造であっても良い。
【００４９】
本発明による住宅では、冷涼な外気をより有効に活用することも可能である。つまり、図６に示すように、床下換気口８を設けた場合は、外気温度が、冷気溜まりの温度よりも低い時などは、床下換気口８も開放して、建物の下部側から上部側までの中空層４の内部に冷涼な外気を取り込み、コンクリート基礎１１および内装材１４などを冷却することが可能となる。この時、居住空間３に設置した窓９を開放すれば、居住空間３にも冷涼な外気が取り込まれ、内装材１４は、中空層４と居住空間３の両面から冷却されて、より冷却効果を高めることができる。なお床下換気口８を開放する時は、排気口５に電動ファンが設けられている場合は、給気口６を開放、排気口５に電動ファンが設けられていない場合は、給気口６を閉鎖すると、排気口５から空気の排出効率が高くなる。
【００５０】
また本発明による住宅では、図５に示すように、開閉可能な室内排気口１０を居住空間３の上方に開口するように形成することで、居住空間３と屋外とを直接連通するようにすることも可能である。これにより、例えば居住空間３の温度が屋外よりも高い場合は、居住空間３に形成された窓９と室内排気口１０とを開放することにより、外気を居住空間３の内部に自然に取り込むことが可能となる。一方、居住空間３が冷気溜まりとなって、外気温度よりも低温にある場合は、室内排気口１０は開放のままであってもよく、少なくとも窓９を閉鎖して冷気の流出を防ぐようにする。なお本実施例の室内排気口１０は居住空間３に設置した天窓などであってもよい。
【００５１】
以上、本発明による住宅を図面により説明したが、冷気溜まりの冷気流出を低減するために、居住空間３の内部の換気には、給気と排気との熱交換が可能な熱交換換気装置を用いるのが、より効果的である。
【００５２】
また寄せ棟屋根である場合は、排気口５、給気口６は屋根部に形成されても良く、またこれら給排気口は、屋根に設置された開閉可能な天窓などで代替しても良く、さらには屋根に突き抜けた煙突状のチムニーとしても良い。また本発明による住宅に用いる排気口５、給気口６および床下換気口８を設けた場合は、冬季においてはいずれも常時閉鎖するのが好ましい。
【００５３】
【発明の効果】
建物の下部側の冷気を快適な温度のまま有効に活用できるとともに、冷気溜まりの空気流動を伴わず、建物上部側の暑熱空気のみを屋外に排出することが可能となり、冷気溜まりによる涼しさと、通気による上階の熱気排出とによって住宅内の熱環境の改善が図られる。また床下換気口を設けた場合は、外気が冷気溜まりの温度よりも低い時には、床下換気口から、外気を取り入れることがも可能で、住宅内部の下層から上層までを、冷涼な外気を有効に使って冷却でき好ましい。
【図面の簡単な説明】
【図１】本発明による住宅の断面を模式的に示す断面図である。
【図２】給気口の位置をかえた本発明による住宅の断面を模式的に示す断面図である。
【図３】排気口と給気口とをほぼ同じ高さに形成した本発明による住宅の断面を模式的に示す断面図である。
【図４】断熱材の施工位置をかえた本発明による住宅の断面を模式的に示す断面図である。
【図５】居住空間と屋外とを連通させた本発明による住宅の断面を模式的に示す断面図である。
【図６】図１に床下換気口を設け、床下換気口を閉鎖している場合の例
【符号の説明】
１    住宅
３    居住空間
４    中空層
５    排気口
６    給気口
７    天井
８    床下換気口
９    窓
１０    室内排気口
１１    コンクリート基礎
１２、１３  外装材
１４    内装材
１５    土台
１６  基礎断熱材
１７  壁断熱材
１８  屋根断熱材
１９  桁
２０  母屋
２１、２２  外側通気層
３１  土間床コンクリート基礎
３３  桁部断熱材
３５  小屋裏換気口
４１  冷気溜まり
５１  外壁
【図１】
2004176296.tif 000003
【図２】
2004176296.tif 000004
【図３】
2004176296.tif 000005
【図４】
2004176296.tif 000006
【図５】
2004176296.tif 000007
【図６】
2004176296.tif 000008